(57)【要約】【課題】作業員が誤ってごみピットの中に転落してしまうのを有効に防止し、また後付けで設置することを容易にする。【解決手段】ごみ投入扉の前方にベース１０を設け、ベース１０に自動車が乗ると信号を発生するセンサスイッチ６を設け、ベース１０にポール８を固定し、ポール８にベアリングユニット１６を介してスクリューシャフト１３を回転可能に取り付け、稼働部材１４の雌ネジをスクリューシャフト１３に螺合し、ポール８に保持部１９を固定し、保持部１９に安全ネット７の下端側を取り付け、稼働部材１４の保持部１４ａに安全ネット７の上端側を取り付け、ベース１０に電動機９を取り付け、電動機９の出力軸に歯車１２を取り付け、スクリューシャフト１３の端部に歯車１７を取り付け、歯車１２と歯車１７とを噛み合わせる。【選択図】        図２
2004292141.tif 000002
【特許請求の範囲】
【請求項１】
ごみピットのごみ投入扉の前方に設けられかつ自動車が乗ると信号を発生するセンサスイッチと、下端がごみ投入扉の前方に固定された安全ネットと、上記センサスイッチの信号に応じて上記安全ネットの上端を上下動する駆動装置とを具備し、上記センサスイッチから信号が発生したとき上記安全ネットの上端を下方に移動し、上記センサスイッチから次に信号が発生したとき上記安全ネットの上端を上方に移動することを特徴とするごみピット内転落防止装置。
【請求項２】
上記駆動装置が、電動機と、上記電動機によって回転されるスクリューシャフトと、上記スクリューシャフトに螺合した稼働部材とを有することを特徴とする請求項１に記載のごみピット内転落防止装置。
【発明の詳細な説明】
【０００１】
【発明の属する技術分野】
本発明はごみを焼却する清掃工場等のごみピットの中への転落を防止するごみピット内転落防止装置に関するものである。
【０００２】
【従来の技術】
【特許文献１】特開平５−２１３４０６号公報
【特許文献２】特開平９−１４２６１０号公報
【特許文献３】特開２０００−２５９０９号公報
【特許文献４】特開２００２−１８１３１７号公報。
【０００３】
図３は従来のごみピット内転落防止装置を有するごみピットを示す概略図である。図に示すように、ごみを貯留するごみピット２にごみ投入扉３が設けられ、ごみ投入扉３は自動的に開閉する機構を有しており、またごみ投入扉３の横に手動操作用の押釦があり、ごみ投入扉３を手動で開閉できるようにもなっている。また、ごみ投入扉３の下部に転落防止用の鋼板４が回動可能に設けられ、鋼板４を回動させるための電動シリンダ５が設けられている。
【０００４】
このごみピットにおいては、ごみを収集するごみ収集車（自動車）１がごみピット２に近づくと、ごみ投入扉３が開くとともに、ごみピット２内部の鋼板４が実線で示す水平位置まで回動し、この状態でごみ収集車１は収集してきたごみを鋼板４上に投入して押釦を押すことで電動シリンダ５により鋼板４を二点鎖線で示された傾斜位置まで回動すると、ごみピット２内にごみが落とし込まれる。そして、ごみ収集車１がごみを投入したのちごみピット２から離れると、ごみ投入扉３が閉じる。このようにして、ごみピット２内にごみが貯留され、ごみクレーン（図示せず）がごみを一定量づつ焼却炉（図示せず）に入れて焼却処分する。そして、ごみ投入扉３が開いた状態でも、鋼板４が実線で示す水平位置にあるときには、作業員が誤ってごみピット２の中に転落してしまうのを防止することができる。
【０００５】
【発明が解決しようとする課題】
しかし、このようなごみピットにおいては、ごみ投入扉３が閉まりきるまでに約２０秒程度かかるから、ごみ収集車１がごみを投入した後、ごみ投入扉３が閉まりきらずかつ鋼板４が傾斜位置にある状態で、周辺に散乱したごみを作業員が掃いたり床を水洗いすることもあり、この際作業員が誤ってごみピット２の中に転落してしまう可能性がある。また、鋼板４、電動シリンダ５を後付けで設置することは非常に困難であり、コストもかかる。
【０００６】
本発明は上述の課題を解決するためになされたもので、作業員が誤ってごみピットの中に転落してしまうのを有効に防止することができ、また後付けで設置することが容易であるごみピット内転落防止装置を提供することを目的とする。
【０００７】
【課題を解決するための手段】
この目的を達成するため、本発明においては、ごみピットのごみ投入扉の前方に設けられかつ自動車が乗ると信号を発生するセンサスイッチと、下端がごみ投入扉の前方に固定された安全ネットと、上記センサスイッチの信号に応じて上記安全ネットの上端を上下動する駆動装置とを設け、上記センサスイッチから信号が発生したとき上記安全ネットの上端を下方に移動し、上記センサスイッチから次に信号が発生したとき上記安全ネットの上端を上方に移動する。
【０００８】
この場合、上記駆動装置として、電動機と、上記電動機によって回転されるスクリューシャフトと、上記スクリューシャフトに螺合した稼働部材とを有するものを用いてもよい。
【０００９】
【発明の実施の形態】
図１は本発明に係るごみピット内転落防止装置を有するごみピットを示す概略斜視図、図２は図１に示したごみピットの一部を示す一部切断拡大斜視図である。図に示すように、ごみ投入扉３の前方にベース１０が設けられ、ベース１０にセンサスイッチ６が設けられ、センサスイッチ６は車が乗ったときに信号を発生し、人が乗ったときには信号を発生しない。また、ベース１０に１対のポール８が固定され、ポール８にベアリングユニット１６を介してスクリューシャフト１３が回転可能に取り付けられ、稼働部材１４の雌ネジがスクリューシャフト１３に螺合され、ポール８に垂直方向のスリット１８が設けられ、稼働部材１４の保持部１４ａがスリット１８を貫通しており、ポール８に保持部１９が固定され、保持部１９に転落防止用の安全ネット７の下端側が取り付けられ、保持部１４ａに安全ネット７の上端側が取り付けられている。また、ベース１０に１対の駆動用の電動機９が取り付けられ、電動機９の出力軸に歯車１２が取り付けられ、スクリューシャフト１３の端部に歯車１７が取り付けられ、歯車１２と歯車１７とは噛み合っている。また、ポール８の上部近傍にリミットスイッチ１５ａが設けられ、保持部１９の近傍にリミットスイッチ１５ｂが設けられ、リミットスイッチ１５ａ、１５ｂは保持部１４ａによって切り換えられる。また、制御盤１１にセンサスイッチ６、電動機９、リミットスイッチ１５ａ、１５ｂが接続され、センサスイッチ６から信号が発生したとき、制御盤１１は電動機９を正転し、この状態でリミットスイッチ１５ｂが切り換えられたとき、制御盤１１は電動機９を停止する。また、次に（再度）センサスイッチ６から信号が発生したとき、制御盤１１は電動機９を逆転し、この状態でリミットスイッチ１５ａが切り換えられたとき、制御盤１１は電動機９を停止する。また、さらにセンサスイッチ６から信号が発生したとき、制御盤１１は電動機９を正転し、この状態でリミットスイッチ１５ｂが切り換えられたとき、制御盤１１は電動機９を停止する。以下、同様に制御盤１１は電動機９を制御する。そして、電動機９、歯車１２、歯車１７、スクリューシャフト１３、稼働部材１４、リミットスイッチ１５ａ、１５ｂ、制御盤１１等によりセンサスイッチ６の信号に応じて安全ネット７の上端を上下動する駆動装置が構成されている。
【００１０】
このごみピット内転落防止装置においては、ごみ収集車１がごみピット２の中に収集したごみを投入するためにごみ投入扉３に近づいて、センサスイッチ６の上に乗ると、センサスイッチ６から信号が発生し、制御盤１１は電動機９を正転し、スクリューシャフト１３が正回転して稼働部材１４が下方に移動するから、安全ネット７の上端が下方に移動する。そして、リミットスイッチ１５ｂが保持部１４ａによって切り換えられと、制御盤１１は電動機９を停止するから、稼働部材１４が停止する。この状態すなわちごみ収集車１が進入した状態では、安全ネット７の上端が下方にすなわち安全ネット７の上端が安全ネット７の下端よりも少し上方に位置し、ごみ投入扉３の前方に障害物がなくなった状態となる。そして、ごみ収集車１がごみ投入扉３から離れて再度センサスイッチ６の上に乗ると、センサスイッチ６から信号が発生し、制御盤１１は電動機９を逆転し、スクリューシャフト１３が逆回転して稼働部材１４が上方に移動するから、安全ネット７の上端が上方に移動する。そして、リミットスイッチ１５ａが保持部１４ａによって切り換えられと、制御盤１１は電動機９を停止するから、稼働部材１４が停止する。この状態すなわちごみ収集車１が進入していない状態では、安全ネット７の上端が上方にすなわち安全ネット７の上端が安全ネット７の下端から安全ネット７の高さだけ上方に位置し、ごみ投入扉３の前方に安全ネット７が張られた状態となる。以下同様に、ごみ収集車１がごみ投入扉３に近づくと、安全ネット７の上端が下方に移動して、ごみ投入扉３の前方に障害物がなくなった状態となり、またごみ収集車１がごみ投入扉３から離れると、安全ネット７の上端が上方に移動して、ごみ投入扉３の前方に安全ネット７が張られた状態となる。
【００１１】
このようなごみピット内転落防止装置においては、ごみ収集車１がごみピット２の中に収集したごみを投入するためにごみ投入扉３に近づくと、安全ネット７の上端が下方に移動し、ごみ投入扉３の前方に障害物がなくなるから、ごみ収集車１からごみピット２の中にごみを投入することができる。そして、ごみ投入後、ごみ収集車１がごみ投入扉３から離れると、ごみ投入扉３の前方に安全ネット７が張られた状態となるから、たとえごみ投入扉３が閉まりきるまでに約２０秒程度かかり、ごみ投入扉３が閉まりきる前に周辺に散乱したごみを作業員が掃いたり床を水洗いしたとしても、作業員が誤ってごみピット２の中に転落してしまうのを有効に防止することができる。また、安全ネット７、駆動装置等をごみピット２の外側に設ければよく、また既存の設備を改造せずに設置することができるので、長期間の改造を行なう必要もなく、容易に、早くかつ安価に設置することが可能である。また、安全ネット７および駆動装置を強固なものにすることで、作業員が転落することを防止するだけでなく、安全ネット７が下方に降りきるまで多少の時間がかかるため、ごみ収集車１がバックする時にスピードが出すぎてごみピット２側に進んで来た場合、ごみ収集車１が安全ネット７に引掛かるから、ごみ収集車１がごみピット２の中に転落することを防止することができる。また、電動機９、歯車１２、歯車１７、スクリューシャフト１３、稼働部材１４、リミットスイッチ１５ａ、１５ｂ、制御盤１１等により駆動装置が構成されているから、確実に安全ネット７の上端を移動することができる。
【００１２】
なお、上述実施の形態においては、電動機９、歯車１２、歯車１７、スクリューシャフト１３、稼働部材１４、リミットスイッチ１５ａ、１５ｂ、制御盤１１等により駆動装置を構成したが、ロープ等による巻き取り方式の駆動装置、ラック、ピニオン等を有する駆動装置等を用いることができる。
【００１３】
【発明の効果】
本発明に係るごみピット内転落防止装置においては、ごみ収集車がごみ投入扉から離れると、ごみ投入扉の前方に安全ネットが張られた状態となるから、作業員が誤ってごみピットの中に転落してしまうのを有効に防止することができ、また安全ネット、駆動装置等をごみピットの外側に設ければよいから、後付けで設置することが容易である。
【００１４】
また、駆動装置として、電動機と、電動機によって回転されるスクリューシャフトと、スクリューシャフトに螺合した稼働部材とを有するものを用いたときには、確実に安全ネットの上端を移動することができる。
【図面の簡単な説明】
【図１】本発明に係るごみピット内転落防止装置を有するごみピットを示す概略斜視図である。
【図２】図１に示したごみピットの一部を示す一部切断拡大斜視図である。
【図３】従来のごみピット内転落防止装置を有するごみピットを示す概略図である。
【符号の説明】
２…ごみピット
３…ごみ投入扉
６…センサスイッチ
７…安全ネット
９…電動機
１１…制御盤
１２…歯車
１３…スクリューシャフト
１４…稼働部材
１５ａ…リミットスイッチ
１５ｂ…リミットスイッチ
１７…歯車
【図１】
2004292141.tif 000003
【図２】
2004292141.tif 000004
【図３】
2004292141.tif 000005